(57)【要約】      （修正有）【課題】ＩＣカード機能を有し、提携会社と情報データの送受信をするための第１の通信手段と情報データを表示するための表示手段とを有する通信端末において電波環境の悪い場所でも安定した送受信の出来るＩＣカード機能を提供する。【解決手段】通信端末機５はＣＰＵ１３を内蔵し、このＣＰＵ１３は、ＩＣカード機能６ａ部と情報データの入出力を行うためのＩ／Ｏ装置７、携帯電話端末の操作を行うための操作部１０、通信端末機５内の通信部１１および情報を表示するための表示部１２を制御し、電源供給部２０は前記ＩＣカード機能部用アンテナ１８がリーダ／ライタ装置の磁界領域内に存在することを前記ＩＣカード機能部６ａの送受信部１６が前記リーダ／ライタ装置の電磁波を受信したときのみ作動し、且つ通信時間相当のみ電力を前記ＩＣカード機能部６ａの各部へ供給するようにした。【選択図】  図３
2006101542.tif 000002
【特許請求の範囲】
【請求項１】
提携会社と情報データの送受信をするための携帯電話端末用アンテナ（１４）を有する通信端末機（５）と、外部のリーダ／ライタ装置（３５）と送受信をするためのＩＣカード機能部用アンテナ（１８）を有するＩＣカード機能部（６ａ）とを備えた携帯電話端末（２）であって、前記通信端末機（５）はＣＰＵ（１３）を内蔵し、このＣＰＵ（１３）は、ＩＣカード機能部（６ａ）と情報データの入出力を行うためのＩ／Ｏ装置（７）、携帯電話端末の操作を行うための操作部（１０）、通信端末機（５）内の通信部（１１）および情報を表示するための表示部（１２）を制御し、また前記ＩＣカード機能部（６ａ）は通信端末機（５）の電源（９）からの電力を前記ＩＣカード機能部（６ａ）の各部へ供給する電源供給装置（２０）を備え、この電源供給装置（２０）は前記ＩＣカード機能部用アンテナ（１８）が前記リーダ／ライタ装置（３５）の磁界領域内に存在するときのみ作動し、且つ通信時間相当のみ電力を前記ＩＣカード機能部（６ａ）の各部へ供給するようにしたことを特徴とする携帯電話端末。
【発明の詳細な説明】
【技術分野】
【０００１】
本発明は、非接触式のＩＣカード機能を具備した携帯電話端末に関する。
【背景技術】
【０００２】
近年、ＩＣカードの本格的な普及を目的として、各業界で様々な事業化が予定されている。例えば、ＮＴＴが予定している次期テレホンカードやＪＲ東日本が予定している電子切符（ＩＣ定期券）である。これらのＩＣカードは、信頼性及び用途の面から非接触タイプのＩＣカードが使用される。
【０００３】
また、非接触型のＩＣカードは通信距離、方式（使用周波数等）により「密着型」、「近接型」「近傍型」に分類されており、それぞれについて、国際標準規格ＩＳＯ／ＩＥＣ１０５３６、ＩＳＯ／ＩＥＣ１４４４３、ＩＳＯ／ＩＥＣ１５６９３として規格化が進められている。例えば、「密着型」のリーダ装置との最大通信距離は約２ｍｍである。同様に、「近接型」は約１０ｃｍ、「近傍型」は約７０ｃｍである。
【０００４】
また、通常、非接触型のＩＣカードは、形状が名刺大で、電源を持っていない。そのため、ＩＣカードが動作するための電力は、リーダ／ライタ装置からの電磁波にて供給される。
【０００５】
また、通常、ＩＣカードに情報を入力及び出力する場合は、リーダ／ライタ装置を介して行われ、従来技術としては、例えば特許文献１〜３のようなものがある。
【特許文献１】特開平１１−２１３１１１
【特許文献１】特開２００３−０６０７４８
【特許文献１】特開２００２−２２２４４２
【発明の開示】
【発明が解決しようとする課題】
【０００６】
上記に示すように、通常、ＩＣカードは電源を備えておらず、リーダ／ライタ装置からの電磁波にてＩＣが動作するための電力が供給され、しかも電波法で定められている電力にしようとすると通信距離が短くなってしまう欠点がある。
【０００７】
また、ＩＣカードは表示機能を備えていないため、ＩＣカードに記録されている情報データを見る場合は、別個にリーダ／ライタ装置を介さなければならないという欠点がある。
【０００８】
更に、電子財布や電子定期券の情報を持つ場合は、入金等の情報データを入力するたびにリーダ／ライタ装置を介して行う必要があり、不便である。
【０００９】
そこで本発明の第１の目的は、必要な情報の入力と、その情報の確認又は認証と、が容易にできるＩＣカード及びＩＣカード機能を具備した通信端末を提供することである。また、第２の目的は、形状等を変えることなく通信距離を伸ばすことが可能なＩＣカード、及びＩＣカード機能を具備した通信端末を提供することにある。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１の発明は、上記の課題を解決するために、提携会社と情報データの送受信をするための携帯電話端末用アンテナ（１４）を有する通信端末機（５）と、外部のリーダ／ライタ装置（３５）と送受信をするためのＩＣカード機能部用アンテナ（１８）を有するＩＣカード機能部（６ａ）とを備えた携帯電話端末（２）であって、前記通信端末機（５）はＣＰＵ（１３）を内蔵し、このＣＰＵ（１３）は、ＩＣカード機能部（６ａ）と情報データの入出力を行うためのＩ／Ｏ装置（７）、携帯電話端末の操作を行うための操作部（１０）、通信端末機（５）内の通信部（１１）および情報を表示するための表示部（１２）を制御し、また前記ＩＣカード機能部（６ａ）は通信端末機（５）の電源（９）からの電力を前記ＩＣカード機能部（６ａ）の各部へ供給する電源供給装置（２０）を備え、この電源供給装置（２０）は前記ＩＣカード機能部用アンテナ（１８）が前記リーダ／ライタ装置（３５）の磁界領域内に存在するときのみ作動し、且つ通信時間相当のみ電力を前記ＩＣカード機能部（６ａ）の各部へ供給するようにした。
【００１２】
この発明によれば、提携会社と情報データの送受信をするための第１の通信手段としての通信部（１１）と情報データを表示するための表示手段としての表示部（１２）を有する通信端末の内部に、入出力手段としてのＩ／Ｏ装置（７、８）を介して、情報データを記憶するための記憶手段としてのメモリ（１５）を有するＩＣカード機能部が備えられ、第１の通信手段を介して提携会社から受信した情報データを、入出力手段を介して、ＩＣカード機能部のメモリに直接記憶することが可能となり、従来のように、リーダ／ライタ装置を介さなくてもよいので便利であるし、技術的にも低価格で簡単になる。すなわち、ＩＳＯ／ＩＥＣ１４４４３ＴＹＰＥＡ、又はＴＹＰＥＢでは読み書きにおいて変調方式が違うため、リーダ／ライタ間で通信を行う場合、復調し、それぞれにあった変調をしなければならなくなるので複雑である。そのため、ＩＣカード機能を通信端末にもたせることにより簡単になる。また、このＩＣカード機能部はその機能をもったＩＣカードとしてそのまま利用するようにしてもよい。
【００１３】
この発明によれば、ＩＣカード機能部に記憶されている内容（情報データ）をリーダ／ライタ装置を介することなく確認することが可能となる。
【００１４】
この発明によれば、通信端末は電源を有し、ＩＣカード機能部は、第2の通信手段としての送受信部（１６）と電源供給手段としての電源供給装置（２０）が備えられ、所望の電力を通信端末の電源からＩＣカード機能部の各部に供給することができるので、通信距離を伸ばすことが可能となる。また、供給する電力と通信距離を予め設定することにより送受信部のアンテナ（１８）の形状を小さくできる。更に、無駄な電力の消耗を避けるため、必要最低限の時間（通信時間相当）のみ、電力がＩＣカード機能部の各部に供給されるようにしているため無駄な電力を使用することがない。
【００１５】
この発明によれば、情報を送受信するための通信手段としての送受信部と、受信された情報を記憶するための記憶手段としてのメモリと、他の端末と情報の入出力が可能な入出力手段としてのＩ／Ｏ装置（８）と、情報データを表示するための表示手段としての表示部と、表示する情報を指定する操作を行うための操作手段としての操作部と、集積回路を含むＣＰＵと、外部から電力の供給をうけるための受容手段としてのアンテナ（２１ａ）を有する電源回路（２１）と、電力を蓄電するための蓄電手段としての蓄電装置（２２）と、を有するＩＣカード機能部を備え、予め外部（例えば、リーダ／ライタ装置）から供給された電力が受容手段を介して蓄電手段に蓄電され、その電力が直接ＩＣカード又は通信端末に供給されるので、通信距離を伸ばすことが可能となる。また、電力は、ＩＣカード機能部の受信部又は通信端末がリーダ／ライタ装置の磁界領域内に存在した時のみ供給されるので、無駄な電力を使うことがない。また、ＩＣカード機能部に供給される電力と通信距離を設定することにより、電源回路に有するアンテナの形状を小さくできる。
【００１６】
この発明によれば、ＩＣカード機能部を動作するための電力を太陽電池により発電し、その電力を蓄電手段により蓄電しておくことができる。また、蓄電した電力は、必要に応じてＩＣカード機能部の各部に供給することができる。
【００１７】
また、蓄電手段又は外部電源が故障を含め、ＩＣカード機能部の各部に電力が供給されなくなった場合、リーダ／ライタ装置から供給される電力でＩＣカード機能部の各部が動作されるのでメモリ内容を外部のリーダ／ライタ装置で読むことができるので、記憶されたメモリの内容（情報データ等）を他のＩＣカードやＩＣカード機能を具備した通信端末等で読み取ったり、他の端末に移動することができる等、サービス性が向上する。
【発明の効果】
【００１８】
本発明によれば、ＩＣカード又はＩＣカード機能を具備する通信端末のメモリに記録されている情報データの内容が容易に確認できる。また、ＩＣカード機能部のメモリへの記録がリーダ／ライタを使用しなくても、携帯会社に接続して情報データを受信するのみで、その情報データをＩＣカード機能部のメモリに記録できる。更にＩＣカード機能部の電源回路に外部より外部電源としてＩＣカードを動作させるための電力を供給することにより通信距離を伸ばすことができる。
【発明を実施するための最良の形態】
【００１９】
以下、本発明の実施形態について詳細に説明する。図１は通信端末を利用した無線通信システムのシステム図である。
【００２０】
無線通信システム１は、通信端末２と提携会社３と店舗４とから構成される。通信端末２は、通信端末機５と、前記通信端末機５に内蔵されるＩＣカード機能部６と、から構成される。このＩＣカード機能部６は非接触式である。この通信端末機５とＩＣカード機能部６には、双方で情報データの交換（移動）するための入出力手段としての入出力装置（以下、「Ｉ／Ｏ装置７、８」と呼ぶ。）を備える。この通信端末機５とＩＣカード機能部６とは、このＩ／Ｏ装置７、８を介して接続される。
【００２１】
Ｉ／Ｏ装置７、８は、例えば、ＩＳＯ／ＩＥＣ７８１６やＩＳＯ／ＩＥＣ１４４４３やＩＳＯ／ＩＥＣ１５６９３規格に準拠しているものを使用することも可能である。
【００２２】
この通信端末機５は、ＩＣカード機能部６と情報データの入出力を行うためのＩ／Ｏ装置７と、電源９と、通信端末機の操作を行うための操作部１０と、外部から情報データを受信するためのアンテナ１４を有する通信部１１と、情報を表示するための表示部１２と、ＣＰＵ１３と、から構成される。この通信端末機５は、例えば携帯電話等である。また、通信部１１は提携会社３の各端末３ａ〜３ｃと通信回線を介して接続される。
【００２３】
また、ＩＣカード機能部６は、通信端末機５と情報データの入出力を行うためのＩ／Ｏ装置８と、情報データを記憶するためのメモリ１５と、情報データの送受信を行うためのアンテナ１８を有する送受信部１６と、集積回路を含むＣＰＵ１７と、から構成される。また、送受信部１６は、店舗４のリーダ／ライタ装置３５と無線回線を介して情報の送受信が行われる。
【００２４】
このように通信端末２は、提携会社と情報データの送受信をするための通信手段としての通信部１１と情報データを表示するための表示手段としての表示部１２とを有する通信端末２の内部に、情報データを移動するための入出力手段としてのＩ／Ｏ装置７、８を介して、情報データを記憶するための記憶手段としてのメモリ１５とを有するＩＣカード機能部６を備えているので、通信部１１により受信する情報データを直接ＩＣカード機能部６のメモリ１５に記憶するつことができる。また、ＩＣカード機能部６に記憶されている情報データをＩ／Ｏ装置７、８を介して、通信端末５の表示部１２に表示することができる。
【００２５】
また、通信端末機５及びＩＣカード機能部６のＣＰＵ１３、１７は、接続されている装置等の全体の制御を行うコントローラである。また、ＣＰＵ１３、１７は、例えば、ＣＰＵにＲＯＭ、ＲＡＭ、ＥＥＰＲＯＭ等を有する１チップマイコンから構成される。
【００２６】
また、通信端末機５及びＩＣカード機能部６のアンテナ１４、１８は、巻線コイルや埋込コイル、プリント配線コイル、印刷コイル、エッチングコイル、オンチップコイル等が使用される。
【００２７】
この通信端末２には、種々のクレジットカード会社、銀行等の提携会社３の各端末３ａ〜３ｃから決済等に必要な情報データが受信される。情報データの受信は、通信端末２を利用して提携会社３に接続後、操作部１０により暗証番号等の必要な情報を入力又は選択して行う。受信した情報データは、ＣＰＵ１３でＩＣカード機能部６への伝送に適した信号形式に変換して伝送する。ＩＣカード機能部６のＣＰＵ１７は、Ｉ／Ｏ装置７、８を介して、記憶するのに適した信号形式に変換してＩＣカード機能部６のメモリ１５に記憶される。
【００２８】
メモリ１５には、クレジットカードのＩＤ番号情報、残金情報等が記憶され、この通信端末２は電子財布として利用される。
【００２９】
また、この通信端末２は電子財布としてだけではなく、メモリ１５に、プリペイドカード等の度数情報や定期券等の期間情報、カード会社の利用状況によるポイント情報等を記憶することにより、プリペイドカードや定期券、サービス券等として利用することができる。
【００３０】
記憶した情報データは、通信端末機５の入力装置１０等から情報データを指定することにより、ＩＣカード機能部６のＣＰＵ１７によりメモリ１５に記憶された情報データを読み出して通信端末機５への伝送に適した信号形式に変換後、Ｉ／Ｏ装置７、８を介して通信端末機５に伝送される。伝送された情報データは、通信端末機５のＣＰＵ１３により表示部１２に表示するための信号形式に変換後、表示部１２により表示される。
【００３１】
また、通常、ＩＣカード機能部６は、リーダ／ライタ装置により、電磁波にて電源の供給がされるので、電源を使用しない。
【００３２】
店舗４は、リーダ／ライタ装置３５と端末機３６とから構成される。リーダ／ライタ装置３５と端末機３６とは電気的に接続されている。リーダ／ライタ装置３５は、発信回路３７と通信部３８と復調回路３９とアンテナ４０とを有する。この発信回路３７により所定の電磁波が発信され、その電磁波が影響する磁界内に存在するＩＣカード機能部６を通信部３８により検知し、そのＩＣカード機能部６に記憶されている情報データが受信される。受信された情報データは、復調回路３９により、ＩＣカード機能部６から変調されて送信された情報データが復調されるとともに、端末機３６においてその情報データを読み取るために適した信号形式に変換される。変換された情報データは、端末機３６で読み取られるとともに、所定の表示形式に変換後、画面上に表示される。
【００３３】
また、クレジット会社等から情報をＩＣカード機能部６のメモリ１５に記憶する場合やＩＣカード機能部６とリーダ／ライタ装置３５により情報の送受信をする場合等においては、データの漏洩、偽造等の不正使用を防止するための暗号化や暗号化されたデータの複合化等が行われる。具体的には、例えば、データの漏洩等による不正使用を防ぐために、ＩＣカード機能部６とは別の個人識別用ＩＤカード等との併用が行われる。また、暗号としてピンコードやＤＥＳ等を利用する場合もある。その使用形態によって、使い分ければよい。
【００３４】
ここで、例えば、通信端末を利用し店舗で商品を購入し決済を行う処理について説明する。
【００３５】
図２は、決済処理のフローチャート図である。なお、理解しやすいように、図１の装置と関連する符号を付するがこれにより限定されるものではない。
【００３６】
店舗４において商品を購入するための決済を行う場合は、店舗４に備えられているリーダ／ライタ装置３５近傍（磁界領域４５内）に、通信端末２をかざす。リーダ／ライタ装置３５は、発信手段としての発信回路３７により所定の電磁波が発信されており（ステップＳ１）、磁界領域４５内において通信端末２がかざされると、通信端末２に備えられているＩＣカード機能部６がその電磁波を受信する（ステップＳ２）。電磁波を受信したＩＣカード機能部６は、必要な情報データをメモリ１５から抽出し（ステップＳ３）、情報データを変調してリーダ／ライタ装置３５に送信する（ステップＳ４）。リーダ／ライタ装置３５は、情報データを受信し（ステップＳ５）、復調する。復調された情報データは所定の形式に変換後、端末機３６に表示される（ステップＳ６）。店舗４の店員は端末機３６に表示された情報データを確認し、決済がされる（ステップＳ７）。決済後、支払方法（１回払い、分割払い）などの決済情報データが通信端末２に送信される（ステップＳ８）。通信端末２はその決済情報データを受信し（ステップＳ９）、ＩＣカード機能部６のメモリ１５に記憶する（ステップＳ１０）。記憶した情報データは、表示部１２により確認できる（ステップＳ１１）。
【００３７】
次に、ＩＣカード機能を具備した通信端末の他の実施形態について詳細に説明する。
【００３８】
図３は本実施形態のシステム図である。なお、図３において、図１と共通する部分には同一符号を付し、それらの説明は省略する。
【００３９】
図示のように、ＩＣカード機能部６ａは電源供給装置２０を備える。電源供給装置２０は、通信端末機５の電源９からＩＣカード機能部６ａが動作するための電力を受けて、ＩＣカード機能部６ａの各部へその電力を供給するための装置である。電源供給装置２０は、ＩＣカード機能部６ａのアンテナ１８がリーダ／ライタ装置の磁界領域４５内に存在する時のみ作動し、ＩＣカード機能部６ａの各部に電力が供給される。
【００４０】
このように、ＩＣカード機能部６ａには、電源供給手段としての電源供給装置２０が備えられ、所定の通信距離を得るのに必要な電力が通信端末２ａの電源から供給される。また、無駄な電力の消耗を避けるため、必要最低限の時間（通信時間相当）のみ、電力がＩＣカード機能部６ａの各部に供給されるようにした。そのため、ＩＣカード機能部６ａとリーダ／ライタ装置３５との通信距離を伸ばすことが可能であるとともに、無駄な電力を使用することがない。また、ＩＣカード機能部６ａに供給する電力と通信距離の設定によりＩＣカード機能部６ａのアンテナ１８を小さくすることも可能である。
【００４１】
次に、本発明である通信端末の第２の実施形態について詳細に説明する。図４は本実施形態の通信端末のシステム図である。なお、図４において、図１と共通する部分には同一符号を付し、それらの説明は省略する。
【００４２】
図示のように、通信端末２ｂは、ＩＣカード機能部６ｂのみであってもよい。即ち、このＩＣカード機能部６ｂは非接触式のＩＣカードと機能を同じくするものである。このＩＣカード機能部６ｂは、外部から電力の供給をうけるための電源回路２１と、電力を蓄電するための蓄電部２２を備える。電源回路２１には、外部から電力エネルギとしての電磁波が供給される。電源回路２１は、アンテナ２１ａと図示しない整流器とコンデンサ等を備え、アンテナ２１ａにより電磁波を受け、整流器により整流され、コンデンサによって交流分が除かれて直流の電気として利用される。また、蓄電部２２は、ＩＣカード機能部６ｂを動作させるための電力を蓄電するための装置である。例えば、コンデンサ等を利用する。蓄電部２２には、電源回路２１に供給された電力が蓄電される。また、蓄電部２２は、ＩＣカード機能部６ｂのアンテナ１８がリーダ／ライタ装置３５の磁界領域４５内に存在する時のみ作動し、蓄電部２２に蓄電された電力がＩＣカード機能部６ｂの各部へ供給される。
【００４３】
また、このＩＣカード機能部６ｂは、送受信部１６により、リーダ／ライタ装置３５を介してメモリ１５内に情報が記憶される。また、このＩＣカード機能部６ｂの操作を行うための操作部１０ａと、メモリ１５に記憶されている情報を表示するための表示部１２ａを備えており、メモリ１５に記憶された情報は、この操作部１０ａを用いて、表示部１２ａに表示される。
【００４４】
このように電源回路２１と蓄電部２２を備えることにより、外部から供給された電力が蓄電され、リーダ／ライタ装置３５と情報データの送受信を行う場合に、ＩＣカード機能部６ｂを動作するための電力がＩＣカード機能部６ｂの各部に供給されることにより、ＩＣカード機能部６ｂとリーダ／ライタ装置３５との通信距離を伸ばせる。また、ＩＣカード機能部６ｂに供給される電力と通信距離の設定により、ＩＣカード機能部６ｂのアンテナ１８を小さくすることも可能である。
【００４５】
また、上記実施形態に示すように、蓄電手段や外部電源が故障を含め、ＩＣカード機能部６〜６ｂの各部に電力が供給されなくなった場合は、リーダ／ライタ装置３５から供給される電力でＩＣカード機能部６〜６ｂの各部が動作されるのでメモリ１５の内容を外部のリーダ／ライタ装置３５で読むことができる。そのため、記憶されたメモリ１５の内容（情報データ等）は他のＩＣカードやＩＣカード機能を具備した通信端末等で読み取ったり、他の端末に移動することができる。
【００４６】
次に、本発明である通信端末の第３の実施形態について詳細に説明する。図５は本実施形態の通信端末のシステム図である。なお、図５において、図４と共通する部分には同一符号を付し、それらの説明は省略する。
【００４７】
図示のように、通信端末２ｃは、ＩＣカード機能部６ｃ単体であってもよい。このＩＣカード機能部６ｃは非接触式のＩＣカードと機能を同じくするものである。このＩＣカード機能部６ｃは半導体セルから構成される太陽電池２３を備える。図示しないが、半導体セルはＩＣカードの表面（外部）に備えられる。太陽電池２３は半導体セルで受けた太陽の光を電気エネルギに変換する。変換された電気エネルギは、蓄電部２２に蓄電される。蓄電部２２は、ＩＣカード機能部６ｃのアンテナ１８がリーダ／ライタ装置３５の磁界領域４５内に存在する時のみ作動し、蓄電部２２に蓄電された電気エネルギが供給される。
【００４８】
このように、太陽電池２３を使用して蓄電部２２に電気エネルギが蓄電され、リーダ／ライタ装置３５と情報データの送受信を行う場合に、ＩＣカード機能部６ｃを動作するための電力（電気エネルギ）がこのＩＣカード機能部６ｃに供給されることにより、ＩＣカード機能部６ｂとリーダ／ライタ装置３５との通信距離を伸ばせる。また、ＩＣカード機能部６ｃに供給される電力と通信距離の設定により、ＩＣカード機能部６ｃのアンテナ１８を小さくすることも可能である。
【００４９】
また、図示はしていないが、図１に示す通信端末に電源回路２１と蓄電部２２を備え、通信端末機５のアンテナ１４から電源回路２１のアンテナ２１ａ（コイル）に電源用電波を送信し、ＩＣカード機能部６に電力が供給されるようにしてもよい。
【００５０】
また、図３〜図５に示した装置を組み合わせて非接触式ＩＣカードに電気が供給されるようにしてもよい。
【００５１】
図６は通信端末の外形例である。図示のように、本体２５とバンド２６、２６ａから構成される腕時計型通信端末２７である。本体２５の表面には、表示部２８と、半導体セルから構成される太陽電池２９と、入力部３０と、を有する。表示部２８は例えば液晶である。入力部３０は、表示部２８に表示する情報データを選択するための選択ボタン（操作キー）３０ａ、３０ｂ、３０ｃである。
【００５２】
図７は通信端末の他の外形例である。図示のように、本体３１ａの表面に半導体セルから構成される太陽電池３２と、表示部３３と、入力部３４、３４ａと、を有する矩形形状のカード型通信端末３１である。このカード型通信端末３１は、例えば、ポケットベル（登録商標）等を利用してもよい。表示部３３は例えば液晶である。入力部３４、３４ａは、表示部３３に表示する情報データを選択するための選択ボタン（操作キー）である。
【００５３】
図８は通信端末の他の外形例であり、図８（ａ）はＬＣＤ付き通信端末、図８（ｂ）はＬＣＤなし通信端末である。
【００５４】
図８（ａ）に示すように、ＬＣＤ付き通信端末３５は、バンド本体３６の表面に、表示部３７と、操作部３８と、を有するリストバンド型の通信端末である。バンド内部には、電源３９と、ＩＣカード機能部４０としての送受信部とＣＰＵとメモリと、送受信部と接続されるアンテナ４１とを備える。
【００５５】
また、図８（ｂ）に示すように、ＬＣＤなし通信端末３５ａは、バンド本体３６の内部に、ＩＣカード機能部４０としての送受信部とＣＰＵとメモリと、送受信部と接続されるアンテナ４１とを備える。アンテナ４１は、例えばモールド等によるバンドの内部に曲げられても機能、性能及び品質に影響のないように使用状況に応じた補強をして設けられている。また、電源供給が必要な場合は、太陽電池等を通信端末３５ａ内に設けて電力を発電し、蓄電して電力を供給できるようにすればよい。
【００５６】
また、図８（ａ）、図８（ｂ）に示すように、アンテナ４１の開口面積を大きくすることにより、通信距離を延ばすことができる。また、リストバンド型にすることにより、持ち運びが容易になる。
【００５７】
図９はＩＣカード機能部を具備したＩＣカードの他の実施形態である。
【００５８】
図９（ａ）に示すように、このＩＣカード５０は、表面内部に第１のアンテナ５１とＩＣカード機能部としてのＩＣチップ（以下「ＩＣチップ５２」と呼ぶ。）を設けるとともに、裏面内部に第２のアンテナ５３とＩＣチップ５４を備える。この第１のアンテナ５１と第２のアンテナ５２とは互いにこのアンテナ同士が完全に重ならないように配置される。また、図９（ｂ）に示すように、ＩＣカード５０ａの内部に第１のアンテナ５１とＩＣチップ５２を設けるとともに、第１のアンテナ５１の内側に第２のアンテナ５３とＩＣチップ５４とを設けるようにしてもよい。上記ＩＣカード５０、５０ａは、アンチコリージョンを利用する。
【００５９】
このように、互いのアンテナ同士が、完全に重ならないようにＩＣカードに配置されるとともに、アンチコリージョンを利用することにより、記憶する容量を増加することができる。
【００６０】
本発明は以上の実施形態に限定されることなく、種々の形態にて実施してよい。
【００６１】
例えば、本実施形態においては、リーダ／ライタ装置３５を店舗に備えているが、リーダ／ライタ装置３５を電車の改札口に備えることにより、電子切符や電子回数券としても機能する。また予め、通信端末２のＩＣカード機能部６のメモリ１５に定期券の有効期限などの情報を記憶させることにより、電子定期券として機能する。
【００６２】
また、この通信端末２を電子財布として使用する場合は、ＩＣカード機能部６のメモリ１５に記憶されている電子財布としての残金がゼロ又は一定金額以下となった場合には、提携している銀行等に通信回線を通じて自動的に入金するようにするとよい。また、電子定期券として使用する場合は、有効期限が切れる場合には、自動的に所定の場所（電子定期発行所）に入金して、電子定期券の有効期限を更新する処理が行われるようにするとよい。
【産業上の利用可能性】
【００６３】
従来、電波規制と電波環境による耐雑音性の問題から難しいとされた携帯電話と非接触ＩＣカードの複合化が実用的に可能となり、携帯電話の利便性が改善される。
【図面の簡単な説明】
【００６４】
【図１】通信端末を利用した無線通信システムのシステム図である。
【図２】決済処理のフローチャート図である。
【図３】ＩＣカードを具備した通信端末の他実施形態のシステム図である。
【図４】通信端末の第２の実施形態におけるシステム図である。
【図５】通信端末の第２の実施形態におけるシステム図である。
【図６】通信端末の外形例である。
【図７】通信端末の他の外形例である。
【図８】通信端末の他の外形例を示し、        図８（ａ）はＬＣＤ付き通信端末、        図８（ｂ）はＬＣＤなし通信端末である。
【図９】ＩＣカード機能部を具備したＩＣカードの他の実施形態である。
【符号の説明】
【００６５】
２ …通信端末、３ …提携会社、４ …店舗、６ …ＩＣカード機能部、７、８ …Ｉ／Ｏ装置、９ …電源、１１ …通信部、１２ …表示部、１５ …メモリ、１６ …送受信装置、１７ …ＣＰＵ、１８ …アンテナ、２０ …電源供給装置、２１ …電源回路、２１ａ …アンテナ、２２ …蓄電装置、２３ …太陽電池、３５ …リーダ／ライタ装置。
【図１】
2006101542.tif 000003
【図２】
2006101542.tif 000004
【図３】
2006101542.tif 000005
【図４】
2006101542.tif 000006
【図５】
2006101542.tif 000007
【図６】
2006101542.tif 000008
【図７】
2006101542.tif 000009
【図８】
2006101542.tif 000010
【図９】
2006101542.tif 000011
【手続補正書】
【提出日】平成17年11月25日(2005.11.25)
【手続補正１】
【補正対象書類名】明細書
【補正対象項目名】全文
【補正方法】変更
【補正の内容】
【発明の詳細な説明】
【技術分野】
【０００１】
本発明は、非接触式のＩＣカード機能を具備した携帯電話端末に関する。
【背景技術】
【０００２】
近年、ＩＣカードの本格的な普及を目的として、各業界で様々な事業化が予定されている。例えば、ＮＴＴが予定している次期テレホンカードやＪＲ東日本が予定している電子切符（ＩＣ定期券）である。これらのＩＣカードは、信頼性及び用途の面から非接触タイプのＩＣカードが使用される。
【０００３】
また、非接触型のＩＣカードは通信距離、方式（使用周波数等）により「密着型」、「近接型」「近傍型」に分類されており、それぞれについて、国際標準規格ＩＳＯ／ＩＥＣ１０５３６、ＩＳＯ／ＩＥＣ１４４４３、ＩＳＯ／ＩＥＣ１５６９３として規格化が進められている。例えば、「密着型」のリーダ装置との最大通信距離は約２ｍｍである。同様に、「近接型」は約１０ｃｍ、「近傍型」は約７０ｃｍである。
【０００４】
また、通常、非接触型のＩＣカードは、形状が名刺大で、電源を持っていない。そのため、ＩＣカードが動作するための電力は、リーダ／ライタ装置からの電磁波にて供給される。
【０００５】
また、通常、ＩＣカードに情報を入力及び出力する場合は、リーダ／ライタ装置を介して行われ、従来技術としては、例えば特許文献１〜３のようなものがある。
【特許文献１】特開平１１−２１３１１１
【特許文献１】特開２００３−０６０７４８
【特許文献１】特開２００２−２２２４４２
【発明の開示】
【発明が解決しようとする課題】
【０００６】
上記に示すように、通常、ＩＣカードは電源を備えておらず、リーダ／ライタ装置からの電磁波にてＩＣが動作するための電力が供給され、しかも電波法で定められている電力にしようとすると通信距離が短くなってしまう欠点がある。
【０００７】
また、ＩＣカードは表示機能を備えていないため、ＩＣカードに記録されている情報データを見る場合は、別個にリーダ／ライタ装置を介さなければならないという欠点がある。
【０００８】
更に、電子財布や電子定期券の情報を持つ場合は、入金等の情報データを入力するたびにリーダ／ライタ装置を介して行う必要があり、不便である。
【０００９】
そこで本発明の第１の目的は、必要な情報の入力と、その情報の確認又は認証と、が容易にできるＩＣカード及びＩＣカード機能を具備した通信端末を提供することである。また、第２の目的は、形状等を変えることなく通信距離を伸ばすことが可能なＩＣカード、及びＩＣカード機能を具備した通信端末を提供することにある。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１の発明は、上記の課題を解決するために、提携会社と情報データの送受信をするための携帯電話端末用アンテナ（１４）を有する通信端末機（５）と、外部のリーダ／ライタ装置（３５）と送受信をするためのＩＣカード機能部用アンテナ（１８）を有するＩＣカード機能部（６ａ）とを備えた携帯電話端末（２）であって、前記通信端末機（５）はＣＰＵ（１３）を内蔵し、このＣＰＵ（１３）は、ＩＣカード機能部（６ａ）と情報データの入出力を行うためのＩ／Ｏ装置（７）、携帯電話端末の操作を行うための操作部（１０）、通信端末機（５）内の通信部（１１）および情報を表示するための表示部（１２）を制御し、また前記ＩＣカード機能部（６ａ）は通信端末機（５）の電源（９）からの電力を前記ＩＣカード機能部（６ａ）の各部へ供給する電源供給装置（２０）を備え、この電源供給装置（２０）は前記ＩＣカード機能部用アンテナ（１８）が前記リーダ／ライタ装置（３５）の磁界領域内に存在するときのみ作動し、且つ通信時間相当のみ電力を前記ＩＣカード機能部（６ａ）の各部へ供給するようにした。
【００１２】
この発明によれば、提携会社と情報データの送受信をするための第１の通信手段としての通信部（１１）と情報データを表示するための表示手段としての表示部（１２）を有する通信端末の内部に、入出力手段としてのＩ／Ｏ装置（７、８）を介して、情報データを記憶するための記憶手段としてのメモリ（１５）を有するＩＣカード機能部が備えられ、第１の通信手段を介して提携会社から受信した情報データを、入出力手段を介して、ＩＣカード機能部のメモリに直接記憶することが可能となり、従来のように、リーダ／ライタ装置を介さなくてもよいので便利であるし、技術的にも低価格で簡単になる。すなわち、ＩＳＯ／ＩＥＣ１４４４３ＴＹＰＥＡ、又はＴＹＰＥＢでは読み書きにおいて変調方式が違うため、リーダ／ライタ間で通信を行う場合、復調し、それぞれにあった変調をしなければならなくなるので複雑である。そのため、ＩＣカード機能を通信端末にもたせることにより簡単になる。また、このＩＣカード機能部はその機能をもったＩＣカードとしてそのまま利用するようにしてもよい。
【００１３】
この発明によれば、ＩＣカード機能部に記憶されている内容（情報データ）をリーダ／ライタ装置を介することなく確認することが可能となる。
【００１４】
この発明によれば、通信端末は電源を有し、ＩＣカード機能部は、第2の通信手段としての送受信部（１６）と電源供給手段としての電源供給装置（２０）が備えられ、所望の電力を通信端末の電源からＩＣカード機能部の各部に供給することができるので、通信距離を伸ばすことが可能となる。また、供給する電力と通信距離を予め設定することにより送受信部のアンテナ（１８）の形状を小さくできる。更に、無駄な電力の消耗を避けるため、必要最低限の時間（通信時間相当）のみ、電力がＩＣカード機能部の各部に供給されるようにしているため無駄な電力を使用することがない。
【００１５】
この発明によれば、情報を送受信するための通信手段としての送受信部と、受信された情報を記憶するための記憶手段としてのメモリと、他の端末と情報の入出力が可能な入出力手段としてのＩ／Ｏ装置（８）と、情報データを表示するための表示手段としての表示部と、表示する情報を指定する操作を行うための操作手段としての操作部と、集積回路を含むＣＰＵと、外部から電力の供給をうけるための受容手段としてのアンテナ（２１ａ）を有する電源回路（２１）と、電力を蓄電するための蓄電手段としての蓄電装置（２２）と、を有するＩＣカード機能部を備え、予め外部（例えば、リーダ／ライタ装置）から供給された電力が受容手段を介して蓄電手段に蓄電され、その電力が直接ＩＣカード又は通信端末に供給されるので、通信距離を伸ばすことが可能となる。また、電力は、ＩＣカード機能部の受信部又は通信端末がリーダ／ライタ装置の磁界領域内に存在した時のみ供給されるので、無駄な電力を使うことがない。また、ＩＣカード機能部に供給される電力と通信距離を設定することにより、電源回路に有するアンテナの形状を小さくできる。
【００１６】
この発明によれば、ＩＣカード機能部を動作するための電力を太陽電池により発電し、その電力を蓄電手段により蓄電しておくことができる。また、蓄電した電力は、必要に応じてＩＣカード機能部の各部に供給することができる。
【００１７】
また、蓄電手段又は外部電源が故障を含め、ＩＣカード機能部の各部に電力が供給されなくなった場合、リーダ／ライタ装置から供給される電力でＩＣカード機能部の各部が動作されるのでメモリ内容を外部のリーダ／ライタ装置で読むことができるので、記憶されたメモリの内容（情報データ等）を他のＩＣカードやＩＣカード機能を具備した通信端末等で読み取ったり、他の端末に移動することができる等、サービス性が向上する。
【発明の効果】
【００１８】
本発明によれば、ＩＣカード又はＩＣカード機能を具備する通信端末のメモリに記録されている情報データの内容が容易に確認できる。また、ＩＣカード機能部のメモリへの記録がリーダ／ライタを使用しなくても、携帯会社に接続して情報データを受信するのみで、その情報データをＩＣカード機能部のメモリに記録できる。更にＩＣカード機能部の電源回路に外部より外部電源としてＩＣカードを動作させるための電力を供給することにより通信距離を伸ばすことができる。
【発明を実施するための最良の形態】
【００１９】
以下、本発明の実施形態について詳細に説明する。図１は通信端末を利用した無線通信システムのシステム図である。
【００２０】
無線通信システム１は、通信端末２と提携会社３と店舗４とから構成される。通信端末２は、通信端末機５と、前記通信端末機５に内蔵されるＩＣカード機能部６と、から構成される。このＩＣカード機能部６は非接触式である。この通信端末機５とＩＣカード機能部６には、双方で情報データの交換（移動）するための入出力手段としての入出力装置（以下、「Ｉ／Ｏ装置７、８」と呼ぶ。）を備える。この通信端末機５とＩＣカード機能部６とは、このＩ／Ｏ装置７、８を介して接続される。
【００２１】
Ｉ／Ｏ装置７、８は、例えば、ＩＳＯ／ＩＥＣ７８１６やＩＳＯ／ＩＥＣ１４４４３やＩＳＯ／ＩＥＣ１５６９３規格に準拠しているものを使用することも可能である。
【００２２】
この通信端末機５は、ＩＣカード機能部６と情報データの入出力を行うためのＩ／Ｏ装置７と、電源９と、通信端末機の操作を行うための操作部１０と、外部から情報データを受信するためのアンテナ１４を有する通信部１１と、情報を表示するための表示部１２と、ＣＰＵ１３と、から構成される。この通信端末機５は、例えば携帯電話等である。また、通信部１１は提携会社３の各端末３ａ〜３ｃと通信回線を介して接続される。
【００２３】
また、ＩＣカード機能部６は、通信端末機５と情報データの入出力を行うためのＩ／Ｏ装置８と、情報データを記憶するためのメモリ１５と、情報データの送受信を行うためのアンテナ１８を有する送受信部１６と、集積回路を含むＣＰＵ１７と、から構成される。また、送受信部１６は、店舗４のリーダ／ライタ装置３５と無線回線を介して情報の送受信が行われる。
【００２４】
このように通信端末２は、提携会社と情報データの送受信をするための通信手段としての通信部１１と情報データを表示するための表示手段としての表示部１２とを有する通信端末２の内部に、情報データを移動するための入出力手段としてのＩ／Ｏ装置７、８を介して、情報データを記憶するための記憶手段としてのメモリ１５とを有するＩＣカード機能部６を備えているので、通信部１１により受信する情報データを直接ＩＣカード機能部６のメモリ１５に記憶することができる。また、ＩＣカード機能部６に記憶されている情報データをＩ／Ｏ装置７、８を介して、通信端末５の表示部１２に表示することができる。
【００２５】
また、通信端末機５及びＩＣカード機能部６のＣＰＵ１３、１７は、接続されている装置等の全体の制御を行うコントローラである。また、ＣＰＵ１３、１７は、例えば、ＣＰＵにＲＯＭ、ＲＡＭ、ＥＥＰＲＯＭ等を有する１チップマイコンから構成される。
【００２６】
また、通信端末機５及びＩＣカード機能部６のアンテナ１４、１８は、巻線コイルや埋込コイル、プリント配線コイル、印刷コイル、エッチングコイル、オンチップコイル等が使用される。
【００２７】
この通信端末２には、種々のクレジットカード会社、銀行等の提携会社３の各端末３ａ〜３ｃから決済等に必要な情報データが受信される。情報データの受信は、通信端末２を利用して提携会社３に接続後、操作部１０により暗証番号等の必要な情報を入力又は選択して行う。受信した情報データは、ＣＰＵ１３でＩＣカード機能部６への伝送に適した信号形式に変換して伝送する。ＩＣカード機能部６のＣＰＵ１７は、Ｉ／Ｏ装置７、８を介して、記憶するのに適した信号形式に変換してＩＣカード機能部６のメモリ１５に記憶される。
【００２８】
メモリ１５には、クレジットカードのＩＤ番号情報、残金情報等が記憶され、この通信端末２は電子財布として利用される。
【００２９】
また、この通信端末２は電子財布としてだけではなく、メモリ１５に、プリペイドカード等の度数情報や定期券等の期間情報、カード会社の利用状況によるポイント情報等を記憶することにより、プリペイドカードや定期券、サービス券等として利用することができる。
【００３０】
記憶した情報データは、通信端末機５の入力装置１０等から情報データを指定することにより、ＩＣカード機能部６のＣＰＵ１７によりメモリ１５に記憶された情報データを読み出して通信端末機５への伝送に適した信号形式に変換後、Ｉ／Ｏ装置７、８を介して通信端末機５に伝送される。伝送された情報データは、通信端末機５のＣＰＵ１３により表示部１２に表示するための信号形式に変換後、表示部１２により表示される。
【００３１】
また、通常、ＩＣカード機能部６は、リーダ／ライタ装置により、電磁波にて電源の供給がされるので、電源を使用しない。
【００３２】
店舗４は、リーダ／ライタ装置３５と端末機３６とから構成される。リーダ／ライタ装置３５と端末機３６とは電気的に接続されている。リーダ／ライタ装置３５は、発信回路３７と通信部３８と復調回路３９とアンテナ４０とを有する。この発信回路３７により所定の電磁波が発信され、その電磁波が影響する磁界内に存在するＩＣカード機能部６を通信部３８により検知し、そのＩＣカード機能部６に記憶されている情報データが受信される。受信された情報データは、復調回路３９により、ＩＣカード機能部６から変調されて送信された情報データが復調されるとともに、端末機３６においてその情報データを読み取るために適した信号形式に変換される。変換された情報データは、端末機３６で読み取られるとともに、所定の表示形式に変換後、画面上に表示される。
【００３３】
また、クレジット会社等から情報をＩＣカード機能部６のメモリ１５に記憶する場合やＩＣカード機能部６とリーダ／ライタ装置３５により情報の送受信をする場合等においては、データの漏洩、偽造等の不正使用を防止するための暗号化や暗号化されたデータの複合化等が行われる。具体的には、例えば、データの漏洩等による不正使用を防ぐために、ＩＣカード機能部６とは別の個人識別用ＩＤカード等との併用が行われる。また、暗号としてピンコードやＤＥＳ等を利用する場合もある。その使用形態によって、使い分ければよい。
【００３４】
ここで、例えば、通信端末を利用し店舗で商品を購入し決済を行う処理について説明する。
【００３５】
図２は、決済処理のフローチャート図である。なお、理解しやすいように、図１の装置と関連する符号を付するがこれにより限定されるものではない。
【００３６】
店舗４において商品を購入するための決済を行う場合は、店舗４に備えられているリーダ／ライタ装置３５近傍（磁界領域４５内）に、通信端末２をかざす。リーダ／ライタ装置３５は、発信手段としての発信回路３７により所定の電磁波が発信されており（ステップＳ１）、磁界領域４５内において通信端末２がかざされると、通信端末２に備えられているＩＣカード機能部６がその電磁波を受信する（ステップＳ２）。電磁波を受信したＩＣカード機能部６は、必要な情報データをメモリ１５から抽出し（ステップＳ３）、情報データを変調してリーダ／ライタ装置３５に送信する（ステップＳ４）。リーダ／ライタ装置３５は、情報データを受信し（ステップＳ５）、復調する。復調された情報データは所定の形式に変換後、端末機３６に表示される（ステップＳ６）。店舗４の店員は端末機３６に表示された情報データを確認し、決済がされる（ステップＳ７）。決済後、支払方法（１回払い、分割払い）などの決済情報データが通信端末２に送信される（ステップＳ８）。通信端末２はその決済情報データを受信し（ステップＳ９）、ＩＣカード機能部６のメモリ１５に記憶する（ステップＳ１０）。記憶した情報データは、表示部１２により確認できる（ステップＳ１１）。
【００３７】
次に、ＩＣカード機能を具備した通信端末の他の実施形態について詳細に説明する。
【００３８】
図３は本実施形態のシステム図である。なお、図３において、図１と共通する部分には同一符号を付し、それらの説明は省略する。
【００３９】
図示のように、ＩＣカード機能部６ａは電源供給装置２０を備える。電源供給装置２０は、通信端末機５の電源９からＩＣカード機能部６ａが動作するための電力を受けて、ＩＣカード機能部６ａの各部へその電力を供給するための装置である。電源供給装置２０は、ＩＣカード機能部６ａのアンテナ１８がリーダ／ライタ装置の磁界領域４５内に存在する時のみ作動し、ＩＣカード機能部６ａの各部に電力が供給される。
【００４０】
このように、ＩＣカード機能部６ａには、電源供給手段としての電源供給装置２０が備えられ、所定の通信距離を得るのに必要な電力が通信端末２ａの電源から供給される。また、無駄な電力の消耗を避けるため、必要最低限の時間（通信時間相当）のみ、電力がＩＣカード機能部６ａの各部に供給されるようにした。そのため、ＩＣカード機能部６ａとリーダ／ライタ装置３５との通信距離を伸ばすことが可能であるとともに、無駄な電力を使用することがない。また、ＩＣカード機能部６ａに供給する電力と通信距離の設定によりＩＣカード機能部６ａのアンテナ１８を小さくすることも可能である。
【００４１】
次に、本発明である通信端末の第２の実施形態について詳細に説明する。図４は本実施形態の通信端末のシステム図である。なお、図４において、図１と共通する部分には同一符号を付し、それらの説明は省略する。
【００４２】
図示のように、通信端末２ｂは、ＩＣカード機能部６ｂのみであってもよい。即ち、このＩＣカード機能部６ｂは非接触式のＩＣカードと機能を同じくするものである。このＩＣカード機能部６ｂは、外部から電力の供給をうけるための電源回路２１と、電力を蓄電するための蓄電部２２を備える。電源回路２１には、外部から電力エネルギとしての電磁波が供給される。電源回路２１は、アンテナ２１ａと図示しない整流器とコンデンサ等を備え、アンテナ２１ａにより電磁波を受け、整流器により整流され、コンデンサによって交流分が除かれて直流の電気として利用される。また、蓄電部２２は、ＩＣカード機能部６ｂを動作させるための電力を蓄電するための装置である。例えば、コンデンサ等を利用する。蓄電部２２には、電源回路２１に供給された電力が蓄電される。また、蓄電部２２は、ＩＣカード機能部６ｂのアンテナ１８がリーダ／ライタ装置３５の磁界領域４５内に存在する時のみ作動し、蓄電部２２に蓄電された電力がＩＣカード機能部６ｂの各部へ供給される。
【００４３】
また、このＩＣカード機能部６ｂは、送受信部１６により、リーダ／ライタ装置３５を介してメモリ１５内に情報が記憶される。また、このＩＣカード機能部６ｂの操作を行うための操作部１０ａと、メモリ１５に記憶されている情報を表示するための表示部１２ａを備えており、メモリ１５に記憶された情報は、この操作部１０ａを用いて、表示部１２ａに表示される。
【００４４】
このように電源回路２１と蓄電部２２を備えることにより、外部から供給された電力が蓄電され、リーダ／ライタ装置３５と情報データの送受信を行う場合に、ＩＣカード機能部６ｂを動作するための電力がＩＣカード機能部６ｂの各部に供給されることにより、ＩＣカード機能部６ｂとリーダ／ライタ装置３５との通信距離を伸ばせる。また、ＩＣカード機能部６ｂに供給される電力と通信距離の設定により、ＩＣカード機能部６ｂのアンテナ１８を小さくすることも可能である。
【００４５】
また、上記実施形態に示すように、蓄電手段や外部電源が故障を含め、ＩＣカード機能部６〜６ｂの各部に電力が供給されなくなった場合は、リーダ／ライタ装置３５から供給される電力でＩＣカード機能部６〜６ｂの各部が動作されるのでメモリ１５の内容を外部のリーダ／ライタ装置３５で読むことができる。そのため、記憶されたメモリ１５の内容（情報データ等）は他のＩＣカードやＩＣカード機能を具備した通信端末等で読み取ったり、他の端末に移動することができる。
【００４６】
次に、本発明である通信端末の第３の実施形態について詳細に説明する。図５は本実施形態の通信端末のシステム図である。なお、図５において、図４と共通する部分には同一符号を付し、それらの説明は省略する。
【００４７】
図示のように、通信端末２ｃは、ＩＣカード機能部６ｃ単体であってもよい。このＩＣカード機能部６ｃは非接触式のＩＣカードと機能を同じくするものである。このＩＣカード機能部６ｃは半導体セルから構成される太陽電池２３を備える。図示しないが、半導体セルはＩＣカードの表面（外部）に備えられる。太陽電池２３は半導体セルで受けた太陽の光を電気エネルギに変換する。変換された電気エネルギは、蓄電部２２に蓄電される。蓄電部２２は、ＩＣカード機能部６ｃのアンテナ１８がリーダ／ライタ装置３５の磁界領域４５内に存在する時のみ作動し、蓄電部２２に蓄電された電気エネルギが供給される。
【００４８】
このように、太陽電池２３を使用して蓄電部２２に電気エネルギが蓄電され、リーダ／ライタ装置３５と情報データの送受信を行う場合に、ＩＣカード機能部６ｃを動作するための電力（電気エネルギ）がこのＩＣカード機能部６ｃに供給されることにより、ＩＣカード機能部６ｂとリーダ／ライタ装置３５との通信距離を伸ばせる。また、ＩＣカード機能部６ｃに供給される電力と通信距離の設定により、ＩＣカード機能部６ｃのアンテナ１８を小さくすることも可能である。
【００４９】
また、図示はしていないが、図１に示す通信端末に電源回路２１と蓄電部２２を備え、通信端末機５のアンテナ１４から電源回路２１のアンテナ２１ａ（コイル）に電源用電波を送信し、ＩＣカード機能部６に電力が供給されるようにしてもよい。
【００５０】
また、図３〜図５に示した装置を組み合わせて非接触式ＩＣカードに電気が供給されるようにしてもよい。
【００５１】
【００５２】
【００５３】
【００５４】
【００５５】
【００５６】
【００５７】
図６はＩＣカード機能部を具備したＩＣカードの他の実施形態である。
【００５８】
図６（ａ）に示すように、このＩＣカード５０は、表面内部に第１のアンテナ５１とＩＣカード機能部としてのＩＣチップ（以下「ＩＣチップ５２」と呼ぶ。）を設けるとともに、裏面内部に第２のアンテナ５３とＩＣチップ５４を備える。この第１のアンテナ５１と第２のアンテナ５２とは互いにこのアンテナ同士が完全に重ならないように配置される。また、図６（ｂ）に示すように、ＩＣカード５０ａの内部に第１のアンテナ５１とＩＣチップ５２を設けるとともに、第１のアンテナ５１の内側に第２のアンテナ５３とＩＣチップ５４とを設けるようにしてもよい。上記ＩＣカード５０、５０ａは、アンチコリージョンを利用する。
【００５９】
このように、互いのアンテナ同士が、完全に重ならないようにＩＣカードに配置されるとともに、アンチコリージョンを利用することにより、記憶する容量を増加することができる。
【００６０】
【００６１】
【００６２】
また、この通信端末２を電子財布として使用する場合は、ＩＣカード機能部６のメモリ１５に記憶されている電子財布としての残金がゼロ又は一定金額以下となった場合には、提携している銀行等に通信回線を通じて自動的に入金するようにするとよい。
【産業上の利用可能性】
【００６３】
従来、電波規制と電波環境による耐雑音性の問題から難しいとされた携帯電話と非接触ＩＣカードの複合化が実用的に可能となり、携帯電話の利便性が改善される。
【図面の簡単な説明】
【００６４】
【図１】通信端末を利用した無線通信システムのシステム図である。
【図２】決済処理のフローチャート図である。
【図３】ＩＣカードを具備した通信端末の他実施形態のシステム図である。
【図４】通信端末の第２の実施形態におけるシステム図である。
【図５】通信端末の第２の実施形態におけるシステム図である。
【図６】ＩＣカード機能部を具備したＩＣカードの他の実施形態である。
【符号の説明】
【００６５】
２ …通信端末、３ …提携会社、４ …店舗、６ …ＩＣカード機能部、７、８ …Ｉ／Ｏ装置、９ …電源、１１ …通信部、１２ …表示部、１５ …メモリ、１６ …送受信装置、１７ …ＣＰＵ、１８ …アンテナ、２０ …電源供給装置、２１ …電源回路、２１ａ …アンテナ、２２ …蓄電装置、２３ …太陽電池、３５ …リーダ／ライタ装置。
【手続補正２】
【補正対象書類名】図面
【補正対象項目名】図６
【補正方法】変更
【補正の内容】
【図６】
2006101542.tif 000012
【手続補正３】
【補正対象書類名】図面
【補正対象項目名】図７
【補正方法】削除
【補正の内容】
【手続補正４】
【補正対象書類名】図面
【補正対象項目名】図８
【補正方法】削除
【補正の内容】
【手続補正５】
【補正対象書類名】図面
【補正対象項目名】図９
【補正方法】削除
【補正の内容】